(57)【要約】【課題】ゴミの掻き出し効果が向上し、高速回転でも芯ぶれの少ない、被掃除面に関わらず、捕集効率の良い、掃除機用床ノズル及び電気掃除機を提供する。【解決手段】  電動送風機を内蔵する電気掃除機本体に連通するように接続されると共に、回転ロータを回転自在に収納する掃除機用床ノズルにおいて、回転ロータは、ロータ心棒の周りに、一条乃至複数の断面が略コの字状の帯状体と芯線、及び清掃体より形成されてあるか、あるいは、清掃体、及び帯状体より形成されてあるチャンネルブラシをらせん状に配設すると共に、ロータ心棒の両端部近傍で、チャンネルブラシの端部を保持手段によりロータ心棒に、チャンネルブラシをらせん状に固定することによって、塵埃の掻き出し効果の向上し、かつ高速回転でも芯ぶれが少なくなり、捕集効率がよくなる。【選択図】      図２
2007014369.tif 000002
【特許請求の範囲】
【請求項１】
電動送風機を内蔵する電気掃除機本体に連通するように接続されると共に、回転ロータを回転自在に収納する掃除機用床ノズルにおいて、前記回転ロータは、ロータ心棒の周りに、一条乃至複数の断面が略コの字状の帯状体と芯線、及び清掃体より形成されてあるか、あるいは、清掃体、及び帯状体より形成されてあるチャンネルブラシをらせん状に配設すると共に、前記ロータ心棒の両端部近傍で、前記チャンネルブラシの端部を保持手段により前記ロータ心棒に、前記チャンネルブラシをらせん状に固定したことを特徴とする掃除機用床ノズル。
【請求項２】
請求項１記載の構成よりなる掃除機用床ノズルにおいて、前記チャンネルブラシは、線径の太いブラシ毛で形成された清掃体Ａ、軟質のブレードで形成された清掃体Ｂ、払拭布と基台で形成された清掃体Ｃ、起毛布で形成された清掃体Ｄ、織布と樹脂で形成された清掃体Ｅのいずれかと、帯状体より形成されており、少なくとも、前記チャンネルブラシのいずれかを使用した回転ロータを収納する掃除機用床ノズル。
【請求項３】
請求項１記載の構成よりなる掃除機用床ノズルにおいて、前記回転ロータの長手方向の任意の位置にて、前記ロータ心棒に前記清掃体を固定手段により固定し、固定した位置を境に前記清掃体をおのおの反対方向にらせん状に配設したことを特徴とする掃除機用床ノズル。
【請求項４】
請求項３記載の構成よりなる掃除機用床ノズルにおいて、前記チャンネルブラシを保持する為の固定部材で、前記回転ロータの長手方向略中央部にて、前記ロータ心棒を挟み込み、固定部材を境におのおの反対方向にらせん状に配設したことを特徴とする掃除機用床ノズル。
【請求項５】
請求項４記載の構成よりなる掃除機用床ノズルにおいて、前記固定部材の外周に植毛加工を施した、掃除機用床ノズル。
【請求項６】
吸引力を発生させる電動送風機と、塵埃を捕集する集塵室と、請求項１〜５のいずれか１項に記載の掃除機用床ノズルとを備えた電気掃除機。
【発明の詳細な説明】
【技術分野】
【０００１】
本発明は、掃除機用床ノズル及びそれを用いた電気掃除機に関するものである。
【背景技術】
【０００２】
従来から、床面の掃除に、ブラシ等の清掃体が使用され、効率よく掻き揚げる為に、回転式のロータを使用している。清掃体はブレード、ブラシ、織布等が使用され、回転変動を少なくする為、清掃体は捻ってある。
例えば、金属製のロータの外周面に、ブレードを螺旋状に取り付けた構成が掃除機用吸入ノズルの回転ロータとして、特開平７−１７８０１６号に開示されてある。また、台材がステンレスにより形成されて、捻り変形されたねじりブラシのブラシ及びその製造方法が特開２００４−３４４２６７号に開示されてある。
【０００３】
【特許文献１】特開平７−１７８０１６号公報
【特許文献２】特開２００４−３４４２６７号公報
【発明の開示】
【発明が解決しようとする課題】
【０００４】
床に接触する際の、回転変動を少なくする為に、何らかの方法で、清掃体を捻る必要があった。その為に、ロータ心棒の捻られた溝に起毛布等の清掃体を挿入して、回転ロータを作成していた。
【０００５】
従来の清掃体は、起毛布、織布、ブレード等を使用しているが、起毛布や織布は、細い繊維を織ったもので、ブラシ部の毛腰が柔らかく、またブレードは、はたき効果のある軟質材でブラシ部が形成されており、起毛布、織布、ブレード共に、掃除本来の目的である、ゴミを掻き出す効果は少ないという課題を有していた。
【０００６】
線径の太いブラシ毛材を使用してチャンネルブラシを形成すれば、毛腰の強い清掃体が出来、このようにして作成したチャンネルブラシを複数本合わせて捻った、ブラシ部の毛腰の強いブラシ組立も考案されているが、中心にロータ心棒がない為、外圧を加えると、ブラシ組立の中央部がたわみ易く、高速回転では芯ぶれを起こすという課題を有していた。
【０００７】
本発明は、上記従来の課題を解決するもので、ゴミの掻き出し効果が向上し、高速回転でも芯ぶれの少ない、被掃除面に関わらず、捕集効率の良い、掃除機用床ノズル及び電気掃除機を提供することを目的とする。
【課題を解決するための手段】
【０００８】
前記従来の課題を解決する為に、本発明の掃除機用床ノズルは、電動送風機を内蔵する電気掃除機本体に連通するように接続されると共に、回転ロータを回転自在に収納する掃除機用床ノズルにおいて、前記回転ロータは、ロータ心棒の周りに、一条乃至複数の断面が略コの字状の帯状体と芯線、及び清掃体より形成されてあるか、あるいは、清掃体、及び帯状体より形成されてあるチャンネルブラシをらせん状に配設すると共に、前記ロータ心棒の両端部近傍で前記チャンネルブラシの端部をらせん状に固定したものである。また、前記チャンネルブラシは、線径の太い毛ブラシで形成された清掃体Ａ、軟質のブレードで形成された清掃体Ｂ、払拭布と基台で形成された清掃体Ｃ、起毛布で形成された清掃体Ｄ、織布と樹脂で形成された清掃体Ｅのいずれかと、帯状体より形成されており、少なくとも、前記チャンネルブラシのいずれかを使用したものである。また、前記回転ロータの長手方向の任意の位置にて、前記ロータ心棒に前記清掃体を固定手段により固定し、固定した位置を境に前記清掃体をおのおの反対方向にらせん状に配設したものである。また、前記チャンネルブラシを保持する為の固定部材で、前記回転ロータの長手方向略中央部にて、前記ロータ心棒を挟み込み、前記固定部材を境におのおの反対方向にらせん状に配設したものである。また、前記固定部材の外周に植毛加工を施したものであり、掃除性能に優れた掃除機用床ノズルを提供することが出来る。また、本発明の電気掃除機は、吸引力を発生させる電動送風機と、塵埃を捕集する集塵室と、請求項１〜５のいずれか１項に記載の掃除機用床ノズルとを備えたもので、高速回転でも芯ぶれの少ない、塵埃の掻き出し効果が向上し、かつ被清掃面の種類に関わらずに掃除を行うことが出来、捕集効率が大幅に向上するものであり、掃除性能に優れた電気掃除機を提供することが出来る。
【発明の効果】
【０００９】
本発明の掃除機用床ノズルは、塵埃の掻き出し効果が向上し、高速回転でも芯ぶれの少ない、かつ被清掃面の種類に関わらずに掃除を行うことが出来、捕集効率が大幅に向上するものである。
【発明を実施するための最良の形態】
【００１０】
第１の発明は、電動送風機を内蔵する電気掃除機本体に連通するように接続されると共に、回転ロータを回転自在に収納する掃除機用床ノズルにおいて、前記回転ロータは、ロータ心棒の周りに、一条乃至複数の断面が略コの字状の帯状体と芯線、及び清掃体より形成されてあるか、あるいは、清掃体、及び帯状体より形成されてあるチャンネルブラシをらせん状に配設すると共に、前記ロータ心棒の両端部近傍で、前記チャンネルブラシの端部を固定することによって、毛腰の強い塵埃の掻き出し効果の向上する、高速回転でも芯ぶれの少ない、捕集効率のよい、掃除機用床ノズルを提供することが出来る。
【００１１】
第２の発明は、第１の発明のチャンネルブラシを、線径の太いブラシ毛で形成された清掃体Ａと芯線、あるいは線径の太いブラシ毛で形成された清掃体Ａ、軟質のブレードで形成された清掃体Ｂ、払拭布と基台で形成された清掃体Ｃ、起毛布で形成された清掃体Ｄ、織布と樹脂で形成された清掃体Ｅのいずれかと、帯状体より形成させており、被清掃面の種類に関わらず掃除を行うことが出来る。
【００１２】
第３の発明は、特に、第１の発明の回転ロータにおいて、前記回転ロータの長手方向の任意の位置にて、前記ロータ心棒に前記清掃体を固定手段により固定し、固定した位置を境に前記清掃体をおのおの反対方向にらせん状に配設したことにより、吸引時に回転ロータが回転すると、塵埃が前記掃除機用床ノズルの内側にかき集められ、捕集効率が向上する。
【００１３】
第４の発明は、特に、第３の発明の回転ロータにおいて、前記チャンネルブラシを保持する為の固定部材で、前記回転ロータの長手方向略中央部にて、前記ロータ心棒を挟み込み、前記固定部材を境におのおの反対方向にらせん状に配設したことにより、前記チャンネルブラシの取り付けが容易になり、また、吸引時に回転ロータが回転すると、塵埃が前記掃除機用床ノズルの中央部にかき集められ、捕集効率が向上する。
【００１４】
第５の発明は、特に第４の発明の固定部材の外周に植毛加工を施こすことにより、前記回転ロータのブラシの長手方向の隙間が少なくなり、清掃効率が向上する。
【００１５】
第６の発明は、吸引力を発生させる電動送風機と、塵埃を捕集する集塵室と、請求項１〜５のいずれか１項に記載の掃除機用床ノズルとを備えたもので、被掃除面の種類に関わらず、塵埃の除去性能が大幅に向上し、掃除性能に優れた電気掃除機を提供することが出来る。以下、本発明の実施の形態について図面を参照しながら説明する。なお、この実施の形態により本発明が限定されるものではない。
【実施例１】
【００１６】
図１〜４、及び図１４にて、実施例１を示す。図１４は、本実施例における掃除機用床ノズルの分解斜視図（上蓋を除いた図）で、図１は同回転ロータ１を分解して前面側から見た斜視図である。図２は回転ロータ１の断面図である。図３と４はチャンネルブラシである。図１において、２はロータ心棒であり、３及び１３はチャンネルブラシであり、４はプーリー付きホルダーであり、１４は軸受けホルダーである。図２において、２はロータ心棒であり、３は線径の太い毛ブラシで形成されたチャンネルブラシであり、１３はゴムブレードで形成されたチャンネルブラシである。図３において、５は芯線であり、６は線径の太い毛ブラシであり、７は帯状体である。図４において、７は帯状体であり、８はゴムブレードである。なお、図３において、チャンネルブラシは芯線５を使用せずに毛ブラシ６と帯状体７で形成されていても同じである。図１４において、２４は、電気掃除機（図示せず）に、ホース（図示せず）、延長管（図示せず）などを介して接続される掃除機用床ノズルで、前方底部に塵埃を吸引する開口部（図示せず）が設けられ、その開口部に臨むように本実施の形態における回転ロータ１が回転自在に設けられている。回転ロータ１は、ベルト３７を介して掃除機用床ノズル２４に内蔵されたモータ３８により回転駆動される。
【００１７】
回転ロータ１は、ロータ心棒２の周りに、一条乃至複数の断面が略コの字状の帯状体７と芯線５及び毛ブラシ６からなるチャンネルブラシ３、及び一条乃至複数の断面が略コの字状の帯状体７とゴムブレード８からなるチャンネルブラシ１３をらせん状に配設すると共に、前記ロータ心棒２の両端部近傍で、保持手段であり一端にプーリー付きホルダー４を、他端に軸受けホルダー１４に設けられた前記チャンネルブラシ３及び１３を固定する為の軸受け溝部２２及び３２に、前記チャンネルブラシ３及び１３の両端部を挿入し、前記プーリー付きホルダー４及び軸受けホルダー１４を前記ロータ心棒２の両端に固定して完成される。３４は、回転ロータ１の両端を掃除機用床ノズル２４に回転自在に保持するための軸受けである。
【００１８】
前記チャンネルブラシ３及び１３における、前記清掃体は、線径の太い毛ブラシ、及びゴムブレードより形成されており、前記チャンネルブラシ３及び１３はロータ心棒２の周りにらせん状に配設される為、毛腰の強い捻られた清掃体で、高速回転でも芯ぶれの少ないロータ心棒２を有する、回転ロータ１が形成されるため、塵埃の掻き出し効果が向上し、高速回転でも芯ぶれの少ない、捕集効率の良い、回転ロータ１を提供することが出来る。
【００１９】
図５〜８で実施例１の他の実施の形態を示す。図５にて、７は帯状体であり、９は払拭布であり、１０は基台であり、５０は払拭布のチャンネルブラシである。図６にて、７は帯状体であり、１５は基台であり１６は起毛布であり、６０は起毛布のチャンネルブラシである。図７にて、７は帯状体であり、３５は樹脂台であり、３６は織布であり、７０は織布のチャンネルブラシである。前記チャンネルブラシは、いかなる組み合わせにおいても、捻られた高速回転でも芯ぶれの少ないロータ心棒２を有する回転ロータ１が形成される。図８において、１２は多角形のロータ心棒Ａであり、３及び１３はチャンネルブラシである。回転ロータ１におけるロータ心棒の断面形状は、図８のロータ心棒Ａ１２のような多角形の角柱でも同じである。また、ロータ心棒の材質は、アルミのような金属、木材、あるいはプラスティック等硬質の材料であれば、限定しない。また、チャンネルブラシの捻り角度は、塵埃を吸込む際の、空気の流れ方向に対して、一番風圧を受けやすい角度に設定すれば、回転ロータ自体がより回転しやすくなり、清掃効果もより増加することが期待できる。
【実施例２】
【００２０】
図９、１０にて、実施例２を示す。図９は、固定部材を境に、チャンネルブラシをおのおの反対方向にらせん状に配設した、回転ロータ２１である。図１０は固定部材のカシメピン部の断面図である。１７はカシメピンであり、１８及び１９は固定部材である。前記実施例１の前記ロータ心棒２の長手方向略中央部にて、前記チャンネルブラシ３、及び１３を保持する為の固定部材１８及び１９で、前記ロータ心棒２を挟み込み、前記固定部材１８及び１９を境におのおの反対方向にらせん状に配設して、カシメピン１７でロータ心棒２に固定し、前記ロータ心棒２の両端部近傍で、保持手段であり一端にプーリー付きホルダー４を、他端に軸受けホルダー１４に設けられた前期チャンネルブラシ３及び１３を固定する為の軸受け溝部２２及び３２に、前記チャンネルブラシ３及び１３の両端部を挿入し、前記プーリー付きホルダー４及び軸受けホルダー１４を、前記ロータ心棒２に固定し、掃除機用床ノズルの回転ロータ２１を形成する。前記チャンネルブラシ３、及び１３は、回転ロータ２１の長手方向略中央部にて、前記固定部材１８及び１９を境におのおの反対方向にらせん状に配設されているため、前記回転ロータ２１が回転すると、床の塵埃等が前記回転ロータ２１の略中央部に集結されることにより、より捕集効率が良くなる回転ロータ２１が形成される。
【００２１】
なお、本実施例では固定部材とカシメピンを用いて説明したが、固定方法は限定するものではなく、溶接、半田、接着等の方法を用いて行ってもよい。また、固定位置も略中央部に限定するものではない。
【実施例３】
【００２２】
図１２、１３にて、実施例３を示す。２０はブラシ植毛である。前記回転ロータ２１において、前記ロータ心棒２の中央部を固定する、前記固定部材１８及び１９の外周に植毛をすることにより植毛ブラシ２０が形成され、前記回転ロータ２１のブラシの長手方向の隙間を少なくした、清掃効率の良いブラシ片を形成した、回転ロータ４１が形成される。
【実施例４】
【００２３】
完成された回転ロータ１にベルト３７を張架し、両端を軸受け３４で保持しながら掃除機用床ノズル２４の所定の部位に挿入して、掃除機用床ノズル２４の組立が完了する。回転ロータ１を収納する、塵埃の掻き出し効果が向上し、高速回転でも芯ぶれの少ない、捕集効率の良い、掃除機用床ノズル２４を提供することが出来る。
【実施例５】
【００２４】
図１１は、本発明の実施例４における電気掃除機の全体側面図である。本実施例における電気掃除機は、前部に塵埃を捕集する集塵室２８と、後部に電動送風機２９を内蔵した電動送風機室３０をそれぞれに備えた掃除機本体３１と、前記集塵室２８に連通するように一端が掃除機本体３１に接続されるホース２７と、ホース２７の他端に設けられたハンドルパイプ２６に着脱自在に接続される延長管２５とを備え、前期延長管２５の他端に、上記第１〜４の実施例における掃除機用床ノズル２４の一つを接続したものである。上記構成により、掃除機本体３１を運転し、ハンドルパイプ２６を操作して、掃除機用床ノズル２４を木床や絨毯上で操作すると、掃除機用床ノズル２４に内臓された回転ロータが回転し、塵埃がチャンネルブラシにより掻き揚げられ、電動送風機２９による吸引力で、空気と共に塵埃が、延長管２５、ホース２７を通って集塵室２８に流れ、そこで塵埃が捕集される。上記実施例１〜４で述べたように、より捕集効率の良い電気掃除機を提供することが出来る。
【産業上の利用可能性】
【００２５】
以上のように、本発明に関わる掃除機用床ノズルは、被清掃面の種類に関わらず塵埃の除去及び捕集性能に優れ、電気掃除機に接続される掃除機用床ノズルに限らず、床面洗浄機や、床磨き機などにも適用できるものである。
【図面の簡単な説明】
【００２６】
【図１】回転ロータ１を分解して前面側から見た斜視図
【図２】回転ロータ１の断面図
【図３】チャンネルブラシの斜視図
【図４】チャンネルブラシの斜視図
【図５】チャンネルブラシの斜視図
【図６】チャンネルブラシの斜視図
【図７】チャンネルブラシの斜視図
【図８】回転ロータ１の他の実施の断面図
【図９】回転ロータ２１の斜視図
【図１０】固定部材のカシメピン部断面図
【図１１】電気掃除機の全体側面図
【図１２】回転ロータ４１の斜視図
【図１３】固定部材のカシメピン部断面図
【図１４】掃除機用床ノズルの分解斜視図（上蓋を除いた図）
【符号の説明】
【００２７】
１、１１、２１、４１  回転ロータ
２  ロータ心棒
３、１３、２３、３３、４３  チャンネルブラシ
４  プーリー付きホルダー
５  芯線
６  毛ブラシ
７  帯状体
１４  軸受けホルダー
１８、１９  固定部材
【図１】
2007014369.tif 000003
【図２】
2007014369.tif 000004
【図３】
2007014369.tif 000005
【図４】
2007014369.tif 000006
【図５】
2007014369.tif 000007
【図６】
2007014369.tif 000008
【図７】
2007014369.tif 000009
【図８】
2007014369.tif 000010
【図９】
2007014369.tif 000011
【図１０】
2007014369.tif 000012
【図１１】
2007014369.tif 000013
【図１２】
2007014369.tif 000014
【図１３】
2007014369.tif 000015
【図１４】
2007014369.tif 000016
【手続補正書】
【提出日】平成18年6月7日(2006.6.7)
【手続補正１】
【補正対象書類名】特許請求の範囲
【補正対象項目名】全文
【補正方法】変更
【補正の内容】
【特許請求の範囲】
【請求項１】
回転ロータを回転自在に収納した掃除機用床ノズルにおいて、該回転ロータは、円または多角形で硬質なロータ心棒と、清掃体を断面が略コ字状の帯状体で挟んだチャンネルブラシと、該ロータ心棒の両端部近傍に設けたホルダーとからなり、該チャンネルブラシは該ロータ心棒の外周にらせん状に配設し、その端部を該ホルダーに固定したことを特徴とする掃除機用床ノズル。
【請求項２】
前記清掃体は、線径の太い毛ブラシ、または、軟質のブレード、または、払拭布、または、起毛布、または、織布と樹脂で形成したもの、の少なくともいずれか一つからなることを特徴とする請求項１記載の掃除機用床ノズル。
【請求項３】
前記回転ロータは、前記ロータ心棒の長手方向略中央部に前記チャンネルブラシを固定するための固定部材を固設し、該固定部材を境にチャンネルブラシをおのおの反対方向にらせん状に配設したことを特徴とする請求項１または請求項２記載の掃除機用床ノズル。
【請求項４】
前記固定部材は、その外周に植毛加工を施したことを特徴とする請求項３記載の掃除機用床ノズル。
【請求項５】
吸引力を発生させる電動送風機と、塵埃を捕集する集塵室と、該集塵室に連通するように接続される掃除機用床ノズルとを備えた電気掃除機であって、該掃除機用床ノズルは、前記請求項１ないし請求項４に記載の掃除機用床ノズルのいずれかであることを特徴とする電気掃除機。
【手続補正２】
【補正対象書類名】明細書
【補正対象項目名】０００２
【補正方法】変更
【補正の内容】
【０００２】
従来から、床面の掃除に、ブラシ等の清掃体が使用され、ゴミが効率よく掻き揚げられるように、回転式のロータが使用されている。清掃体はブレード、ブラシ、織布等が使用され、回転変動を少なくする為、清掃体は捻られているものが多い。
例えば、金属製のロータの外周面に、ブレードを螺旋状に取り付けたもの（特許文献１）や、台材を塑性変形可能なステンレスとして、台材の周りに放射状に突出する線条材を備えたもの（特許文献２）がある。
【手続補正３】
【補正対象書類名】明細書
【補正対象項目名】０００８
【補正方法】変更
【補正の内容】
【０００８】
本発明の掃除機用床ノズルは、上記の目的を達成するため次の手段を採った。すなわち、請求項１の発明では、回転ロータを回転自在に収納した掃除機用床ノズルにおいて、該回転ロータは、円または多角形で硬質なロータ心棒と、清掃体を断面が略コ字状の帯状体で挟んだチャンネルブラシと、該ロータ心棒の両端部近傍に設けたホルダーとからなり、該チャンネルブラシは該ロータ心棒の外周にらせん状に配設し、その端部を該ホルダーに固定したことを特徴としている。
この清掃体は、請求項２に記載のように、線径の太い毛ブラシ、または、軟質のブレード、または、払拭布、または、起毛布、または、織布と樹脂で形成したもの、の少なくともいずれか一つとするとよい。また、回転ロータは、請求項３に記載のように、ロータ心棒の長手方向略中央部にチャンネルブラシを固定するための固定部材を固設し、該固定部材を境にチャンネルブラシをおのおの反対方向にらせん状に配設するとよい。この固定部材は、請求項４に記載のように、その外周に植毛加工を施すとよい。なお、チャンネルブラシは、芯線を用いて形成するのが望ましい。また、固定部材はロータ心棒の略中央部に設けるが、略中央部は、かなり広く、例えば、床ノズルの開口に合わせて片側へ寄せて設ける場合なども含まれる。
請求項５の発明の電気掃除機は、吸引力を発生させる電動送風機と、塵埃を捕集する集塵室と、該集塵室に連通するように接続される掃除機用床ノズルとを備えた電気掃除機であって、該掃除機用床ノズルは、請求項１ないし請求項４に記載の掃除機用床ノズルのいずれかであることを特徴としている。
【手続補正４】
【補正対象書類名】明細書
【補正対象項目名】０００９
【補正方法】変更
【補正の内容】
【０００９】
上記のように、請求項１の発明は、回転ロータは、円または多角形で硬質なロータ心棒と、清掃体を断面が略コ字状の帯状体で挟んだチャンネルブラシと、該ロータ心棒の両端部近傍に設けたホルダーとからなり、該チャンネルブラシは該ロータ心棒の外周にらせん状に配設し、その端部を該ホルダーに固定したので、毛腰の強い塵埃の掻き出し効果の向上する、高速回転でも芯ぶれの少ない、捕集効率のよい、掃除機用床ノズルを提供することができる。
この清掃体は、線径の太い毛ブラシ、または、軟質のブレード、または、払拭布、または、起毛布、または、織布と樹脂で形成したもの、の少なくともいずれか一つで形成したものを使用し（請求項２）、複数種類を使用すれば、被清掃面の種類に関わらず掃除を行うことができる。
また、ロータ心棒の長手方向略中央部にチャンネルブラシを固定するための固定部材を固設し、該固定部材を境にチャンネルブラシをおのおの反対方向にらせん状に配設すれば（請求項３）、前記チャンネルブラシの取り付けが容易になり、また、吸引時に回転ロータが回転すると、塵埃が前記掃除機用床ノズルの中央部にかき集められ、捕集効率が向上する。
さらに、固定部材は、その外周に植毛加工を施せ（請求項４）ば、回転ロータのブラシの長手方向の隙間が少なくなり、清掃効率が向上する。
請求項５の発明は、請求項１ないし請求項４に記載の掃除機用床ノズルのいずれかを備え、吸引力を発生させる電動送風機と塵埃を捕集する集塵室とを備えたので、被掃除面の種類に関わらず、塵埃の除去性能が大幅に向上し、掃除性能に優れた電気掃除機を提供することができる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
以下、請求項１の発明の実施の形態を実施例１で、請求項２の発明の実施の形態を実施例１の他の実施の形態で、請求項３の発明の実施の形態を実施例２で、請求項４の発明の実施の形態を実施例３で、請求項５の発明の実施の形態を実施例５で、それぞれ、図面を参照しながら説明する。
【手続補正１１】
【補正対象書類名】明細書
【補正対象項目名】００２３
【補正方法】変更
【補正の内容】
【００２３】
図１４は、掃除機用床ノズル２４の上蓋を取り外した状態の全体斜視図であり、完成された回転ロータ１にベルト３７を張架し、両端を軸受け３４で保持しながら掃除機用床ノズル２４の所定の部位に挿入すれば組立が完了する。
【手続補正１２】
【補正対象書類名】明細書
【補正対象項目名】００２４
【補正方法】変更
【補正の内容】
【００２４】
図１１は、電気掃除機の全体を示すもので、塵埃を捕集する集塵室２８を前部に備えるとともに、電動送風機２９を内蔵した電動送風機室３０を後部に備えた掃除機本体３１と、該集塵室２８に連通するように一端が掃除機本体３１に接続されるホース２７と、ホース２７の他端に設けられたハンドルパイプ２６に着脱自在に接続される延長管２５と、延長管２５の他端に接続した上記第１〜４の実施例のいずれかの掃除機用床ノズル２４とから構成されている。
掃除機本体３１を運転し、ハンドルパイプ２６を操作して、掃除機用床ノズル２４を木床や絨毯上で操作すると、掃除機用床ノズル２４に内臓された回転ロータが回転し、塵埃がチャンネルブラシにより掻き揚げられ、電動送風機２９による吸引力で、空気と共に塵埃が、延長管２５、ホース２７を通って集塵室２８に流れ、そこで塵埃が捕集される。
この電気掃除機は、上記実施例１〜４で述べたように、より捕集効率の良いものである。
【手続補正１３】
【補正対象書類名】明細書
【補正対象項目名】００２６
【補正方法】変更
【補正の内容】
【００２６】
【図１】請求項１の発明の掃除機用床ノズルの実施の形態を示すもので、回転ロータを分解して前面側から見た斜視図である。
【図２】同、回転ロータ１の断面図である。
【図３】同、清掃体に毛ブラシを用いたチャンネルブラシの斜視図である。
【図４】同、清掃体にゴムブレードを用いたチャンネルブラシの斜視図である。
【図５】請求項２の発明の実施の形態を示すもので、清掃体に払拭布を用いたチャンネルブラシの斜視図である。
【図６】同、清掃体に起毛布を用いたチャンネルブラシの斜視図である。
【図７】同、清掃体に織布を用いたチャンネルブラシの斜視図である。
【図８】同、回転ロータ１の断面図である。
【図９】請求項３の発明の実施の形態の回転ロータ２１の斜視図である。
【図１０】同、固定部材のカシメピン部断面図である。
【図１１】請求項５の発明の実施の形態である電気掃除機の全体側面図である。
【図１２】請求項４の発明の実施の形態を示す回転ロータ４１の斜視図である。
【図１３】同、固定部材のカシメピン部断面図である。
【図１４】掃除機用床ノズルの分解斜視図（上蓋を除いた図）である。